【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
式（１）：
【化５】
2016538377.tif 000001
によって表されるポリマーであって、
式（１）の分散剤は、末端および／またはペンダントイミド基を有し、該側鎖イミド基が、式（１ａ）：
【化６】
2016538377.tif 000002
によって表されるイミド化合物から誘導され、これらの式中、
Ｒ１は、置換基への結合に利用可能なＱ環上の任意の位置にある置換基であり、Ｒ１は、独立して、−Ｈ、または電子吸引基、または電子供与基の１つまたはそれより多くのものによって表され；
Ｑは、４ｎ＋２のπ電子を含有する縮合芳香族環または非縮合芳香族環であり、ここで、ｎ＝１またはそれより大きく、Ｑは、５または６員イミド環を形成するように該イミド基に結合されており；
Ｒ２は、Ｃ１〜Ｃ２０ヒドロカルビレン基、またはそれらの混合物であり；Ｒ２は、酸素および／または窒素原子であり、この場合、Ｒ２の酸素または窒素１個ごとに少なくとも２個の炭素原子があり；
Ｐｏｌは、
ポリエーテル、
ポリエステル、
それらの混合ポリエーテル／ポリエステルペンダント側鎖、
それらの混合ポリエステル／ポリエーテルペンダント側鎖、
またはそれらの混合物
の１つまたはそれより多くのものである少なくとも１つのペンダント側鎖を含むジエポキシドまたはポリエポキシドであり；
Ｐｏｌと各Ｗ’との結合（複数可）は、（ｗによって定義される通り）１つまたはそれより多くの末端および／またはペンダント側鎖イミド基をＰｏｌ上の１つまたはそれより多くの位置でＰｏｌに結合すること、および各イミド基を（ｂによって定義される通り）１つまたはそれより多くの結合によってＰｏｌに結合することを可能にし；
Ｗは、エポキシド基との反応が可能な任意の基であり；
Ｗ’は、Ｈを欠いているアミノ、カルボン酸およびヒドロキシルを表し；ｂが２である場合には、該Ｗ’の一方は、該エポキシドと反応される第二級アミンから誘導され、および該イミドと他方のＷ’基との間のＲ２結合基の中にあり、ｂが２である場合、各Ｗ’は同じであるか、または異なり；
ｂは、１または２であり、ｂが１である場合、該イミド基は、末端であり、かつＷがヒドロキシルもしくはカルボン酸である場合は１つの化学結合によって該Ｐｏｌに結合され得るか、またはＷがＮＨ２である場合はペンダント側鎖であり得るかのいずれかであり、ｂが２である場合、該イミド基は、２つの化学結合によってＰｏｌに結合されている側鎖であり；
ｄは、１、２または３であり、これは、１〜３個のイミド基がＲ２の異なる炭素原子でＲ２に結合されている可能性があることを意味し；ならびに
ｗは、１もしくはそれより大きい、
ポリマー。
【請求項２】
ｎが、２であり、Ｑが、１，８−ナフタレン無水物、または１，２−ナフタレン無水物に基づく、請求項１に記載のポリマー。
【請求項３】
前記縮合芳香族環が、１，８−ナフタレンイミド、または１，２−ナフタレンイミド、またはそれらの混合物に基づく、前記請求項１から２のいずれかに記載のポリマー。
【請求項４】
Ｑが、ナフタレンイミドに基づく、前記請求項１から３のいずれかに記載のポリマー。
【請求項５】
（ａ）少なくとも１つの式（１ａ）の化合物（式中、ｂ＝１の場合、Ｗは、ペンダントイミド基をもたらす第一級アミン（−ＮＨ２）であり、および／もしくはＷは、末端イミド基をもたらす、ヒドロキシルもしくはカルボン酸であり；ならびに／またはｂ＝２の場合、Ｗは、ペンダントイミド基をもたらす、第二級アミノ基（−ＮＨ−）、ヒドロキシルもしくはカルボン酸もしくはそれらの混合物である）と、
（ｂ）ペンダントポリエーテル鎖をもたらすために、１つまたはそれより多くのジエポキシドおよび／またはポリエポキシド、ならびにＣ２〜８アルキレンオキシドまたはそれらの任意の組み合わせの単位を含むポリエーテルに基づき、数平均ＭＷ２５０〜３５００の単官能性ポリエーテルアミンから成る群の少なくとも１つのメンバーとを、
反応させることによる付加重合を含むプロセスによって得られる／得ることが可能である、前記請求項１から４のいずれかに記載のポリマー。
【請求項６】
ａ）存在する任意の末端アミノ基を、イソシアネート、ラクトン、ヒドロキシカルボン酸、無水物、環状カーボネート、または（メタ）アクリレートと反応させる工程；
ｂ）任意のアミノ基の塩化工程ならびに／または任意のアミノ基とモノカルボン酸もしくはポリカルボン酸、無機酸、リンおよびポリオキソメタレート含有酸または強酸との反応工程；
ｃ）存在する任意のアミノ基の窒素酸化物への酸化工程；
ｄ）存在する任意のアミノ基のアルキル化剤での四級化工程；
ｅ）存在する任意のヒドロキシル基をイソシアネート、リン酸、ポリリン酸、無水物またはカルボン酸と反応させる工程；
ｆ）存在する任意の末端エポキシド基を第二級アミンまたはカルボン酸と反応させる工程；
ｇ）存在する任意の残留第一級ヒドロキシルおよびアミノ基を、ラクトン、ヒドロキシカルボン酸、変性ポリエステルイソシアネートもしくはそれらの任意の組み合わせと反応させて、ペンダントポリエステル鎖を形成する工程；
ｈ）該付加ポリマーを、エチレンオキシド、プロピレンオキシド、ブチレンオキシド、スチレンオキシドまたはそれらの混合物から誘導されたまたは得ることが可能なＣ３〜２８ヒドロカルビルアルコキシレートと、ブレンドする工程；
ｉ）またはそれらのａ）〜ｈ）の任意の組み合わせ
を含む、任意の残留アミノ、ヒドロキシルまたはエポキシ基をさらに反応させるための１つまたはそれより多くの工程をさらに特定することによって調製される、請求項５に記載のポリマー。
【請求項７】
ａ）、ｃ）、ｄ）、ｅ）、ｆ）またはｇ）から選択される少なくとも１つの他の工程を含む、任意の残留アミノ、ヒドロキシルまたはエポキシ基をさらに反応させるための１つまたはそれより多くの工程をさらに特定することによって調製される、請求項６に記載のポリマー。
【請求項８】
（ａ）少なくとも１つの式（１ａ）の化合物（式中、ｂ＝１の場合、Ｗは、ペンダントイミド基をもたらす第一級アミン（−ＮＨ２）であり、および／もしくはＷは、末端イミド基をもたらす、ヒドロキシルもしくはカルボン酸であり；ならびに／またはｂ＝２の場合、Ｗは、ペンダントイミド基をもたらす、第二級アミノ基（−ＮＨ−）、ヒドロキシルもしくはカルボン酸もしくはそれらの混合物である）を、
（ｂ）１つまたはそれより多くのジエポキシドおよび／またはポリエポキシド、ならびに置換されているＣ３〜２８ヒドロカルビルアミンの少なくとも１つのメンバー；またはアミノアルコールの少なくとも１つ；またはそれらの混合物と
反応させる工程；および
次のいずれかまたは両方の工程：
（ｃ）工程（ｂ）からの存在する任意の残留第一級ヒドロキシルおよびアミノ基を、ラクトン、ヒドロキシカルボン酸、変性ポリエステルイソシアネートまたはそれらの任意の組み合わせと反応させて、ペンダントポリエステル鎖を形成する工程；または
（ｄ）工程（ｂ）からの任意のヒドロキシルおよびアミノ基を、エチレンオキシド、プロピレンオキシド、ブチレンオキシド、スチレンオキシド、変性ポリエーテルイソシアネートまたはそれらの任意の組み合わせと反応させて、ペンダントポリエーテル鎖を形成する工程
による付加重合を含むプロセスによって得られる／得ることが可能である、前記請求項１から４のいずれかに記載のポリマー。
【請求項９】
ａ）存在する任意の末端アミノ基を、イソシアネート、無水物、環状カーボネート、または（メタ）アクリレートと反応させる工程；
ｂ）任意のアミノ基の塩化工程および／または任意のアミノ基とモノカルボン酸もしくはポリカルボン酸、無機酸、リンおよびポリオキソメタレート含有酸または強酸との反応工程；
ｃ）存在する任意のアミノ基の窒素酸化物への酸化工程；
ｄ）存在する任意のアミノ基のアルキル化剤での四級化工程；
ｅ）存在する任意のヒドロキシル基をイソシアネート、リン酸、ポリリン酸、無水物またはカルボン酸と反応させる工程；
ｆ）存在する任意の末端エポキシド基を第二級アミンまたはカルボン酸と反応させる工程；
ｇ）該付加ポリマーを、エチレンオキシド、プロピレンオキシド、ブチレンオキシド、スチレンオキシドまたはそれらの混合物から誘導されたまたは得ることが可能なＣ３〜２８ヒドロカルビルアルコキシレートと、ブレンドする工程；
ｈ）またはそれらの任意の組み合わせ
を含む、任意の残留アミノ、ヒドロキシルまたはエポキシ基をさらに反応させるための１つまたはそれより多くの工程をさらに特定することによって調製される、請求項８に記載のポリマー。
【請求項１０】
粒子状固体と、非極性有機媒体と、少なくとも１つの芳香族イミド基を有するポリマー鎖とを含む組成物であって、該ポリマーが前記請求項１から９のいずれかに記載のポリマーによって表される、組成物。
【請求項１１】
粒子状固体と、極性有機媒体と、少なくとも１つの芳香族イミド基を有するポリマー鎖とを含む組成物であって、該ポリマーが前記請求項１から９のいずれかに記載のポリマーによって表される、組成物。
【請求項１２】
粒子状固体と、水性媒体と、少なくとも１つの芳香族イミド基を有するポリマー鎖とを含む組成物であって、該ポリマーが前記請求項１から９のいずれかに記載のポリマーによって表される、組成物。
【請求項１３】
前記組成物が、ミルベース、塗料またはインクである、前記請求項１０から１２のいずれかに記載の組成物。
【請求項１４】
前記粒子状固体が、顔料またはフィラーである、前記請求項１０から１３のいずれかに記載の組成物。
【請求項１５】
結合剤をさらに含む、前記請求項１０から１４のいずれかに記載の組成物。
【請求項１６】
前記ポリマーが、前記組成物の０．５重量％〜３０重量％の範囲の量で存在する、前記請求項１０から１５のいずれかに記載の組成物。
【請求項１７】
前記請求項１０から１６のいずれかに記載の組成物における分散剤としての、前記請求項１から９のいずれかに記載のポリマーの使用。
【手続補正２】
【補正対象書類名】明細書
【補正対象項目名】００３４
【補正方法】変更
【補正の内容】
【００３４】
一実施形態では、本発明のポリマー（一般に式（１）によって表される）は、有機ジエポキシドまたは有機ポリエポキシドを第一級アミン、アミノアルコール、アミノ酸、ヒドロキシ酸、ジオールまたはアルコールと反応させる方法であって、前記第一級アミン、アミノアルコール、アミノ酸、ヒドロキシ酸、ジオールまたはアルコールが縮合または非縮合芳香族イミド基を含有するものである方法によって得られ得る／得ることが可能であり得る。イミドを形成するための反応を、イミド形成に有利であるような当業者に公知の十分に高い温度、例えば、少なくとも１００℃、または１２０℃もしくは１５０℃〜２００℃で行ってもよい。
一実施形態において、例えば、以下の項目が提供される。
（項目１）
式（１）：
【化５】
2016538377.tif 000003
によって表されるポリマーであって、
式（１）の分散剤は、末端および／またはペンダントイミド基を有し、該側鎖イミド基が、式（１ａ）：
【化６】
2016538377.tif 000004
によって表されるイミド化合物から誘導され、これらの式中、
Ｒ１は、置換基への結合に利用可能なＱ環上の任意の位置にある置換基であり、Ｒ１は、独立して、−Ｈ、または電子吸引基（例えば、−ＮＯ２、−ＳＯ２ＮＲ’２、−Ｃ（Ｏ）Ｒ’、−ＳＯ３Ｍ、ハロ、例えば−Ｃｌもしくは−Ｂｒ、−ＮＨ２、または−ＯＲ’）、または電子供与基（例えば、アルキル基、例えば−ＣＨ３）の１つまたはそれより多くのものによって表され；
Ｑは、４ｎ＋２のπ電子を含有する縮合芳香族環または非縮合芳香族環であり、ここで、ｎ＝１またはそれより大きく（通常、１〜３、または１〜２または１または２）、Ｑは、５または６員（通常、５員）イミド環を形成するように該イミド基に結合されており；
Ｒ２は、Ｃ１〜Ｃ２０ヒドロカルビレン基、もしくはＣ１〜Ｃ１２ヒドロカルビレン基、もしくはＣ１〜Ｃ６ヒドロカルビレン基、またはそれらの混合物であり；
Ｒ２は、酸素および／または窒素原子であり、この場合、Ｒ２の酸素または窒素１個ごとに少なくとも２個の炭素原子があり、これらは、Ｒ２にエーテル型結合、エステル型結合およびアミド型結合を含み；
Ｐｏｌは、
ポリエーテル、
ポリエステル、
それらの混合ポリエーテル／ポリエステルペンダント側鎖、
それらの混合ポリエステル／ポリエーテルペンダント側鎖、
またはそれらの混合物
の１つまたはそれより多くのものである少なくとも１つのペンダント側鎖（通常は複数のペンダント側鎖）を含むジエポキシドまたはポリエポキシドであり；
Ｐｏｌと各Ｗ’との結合（複数可）は、（ｗによって定義される通り）１つまたはそれより多くの末端および／またはペンダント側鎖イミド基をＰｏｌ上の１つまたはそれより多くの位置でＰｏｌに結合すること、および各イミド基を（ｂによって定義される通り）１つまたはそれより多くの結合によってＰｏｌに結合することを可能にし；
Ｗは、エポキシド基との反応が可能な任意の基、例えば、第一級および第二級アミン、カルボン酸ならびにヒドロキシル基であり；
Ｗ’は、Ｈを欠いているアミノ、カルボン酸およびヒドロキシルを表し、通常、アミノ、ヒドロキシまたはカルボキシル基とエポキシドの間に化学結合を形成する従来の反応での、イミド含有基のアミノ、ヒドロキシルまたはカルボキシル基、通常はアミノまたはヒドロキシルと、ジエポキシドまたはポリエポキシドとの反応の残基であり；ｂが２である場合には、該Ｗ’の一方は、該エポキシドと反応される第二級アミンから誘導され、および該イミドと他方のＷ’基との間のＲ２結合基の中にあり、ｂが２である場合、各Ｗ’は同じであるか、または異なり；
ｂは、１または２であり、ｂが１である場合、該イミド基は、末端であり、かつＷがヒドロキシルもしくはカルボン酸である場合は１つの化学結合によって該Ｐｏｌに結合され得るか、またはＷがＮＨ２である場合はペンダント側鎖であり得るかのいずれかであり、ｂが２である場合、該イミド基は、２つの化学結合によってＰｏｌに結合されている側鎖であり；
ｄは、１、２または３、１または２、または１であり、これは、１〜３個のイミド基がＲ２の異なる炭素原子でＲ２に結合されている可能性があることを意味し；ならびに
ｗは、１もしくはそれより大きい、または２、３もしくは４〜１００、または２、３もしくは４〜２５、または４〜２０である、
ポリマー。
（項目２）
ｎが、２であり、Ｑが、１，８−ナフタレン無水物、または１，２−ナフタレン無水物に基づく、項目１に記載のポリマー。
（項目３）
前記縮合芳香族環が、１，８−ナフタレンイミド、または１，２−ナフタレンイミド、またはそれらの混合物に基づく、前記項目１から２のいずれかに記載のポリマー。
（項目４）
Ｑが、ナフタレンイミド、例えば、４−ニトロ−１，８−ナフタルイミド（１つのＲ１＝ＮＯ２の場合）、３−ニトロ−１，８−ナフタルイミド（１つのＲ１＝ＮＯ２の場合）、４−クロロ−１，８−ナフタルイミド（１つのＲ１＝Ｃｌの場合）、３−スルホ−１，８−ナフタルイミド（１つのＲ１＝ＳＯ３Ｈの場合）、またはそれらの混合物に基づく、前記項目１から３のいずれかに記載のポリマー。
（項目５）
（ａ）少なくとも１つの式（１ａ）の化合物（式中、ｂ＝１の場合、Ｗは、ペンダントイミド基をもたらす第一級アミン（−ＮＨ２）であり、および／もしくはＷは、末端イミド基をもたらす、ヒドロキシルもしくはカルボン酸であり；ならびに／またはｂ＝２の場合、Ｗは、ペンダントイミド基をもたらす、第二級アミノ基（−ＮＨ−）、ヒドロキシルもしくはカルボン酸もしくはそれらの混合物である）と、
（ｂ）ペンダントポリエーテル鎖をもたらすために、１つまたはそれより多くのジエポキシドおよび／またはポリエポキシド、ならびにＣ２〜８、通常はＣ２〜４アルキレンオキシド（例えば、エチレンオキシド、プロピレンオキシド、ブチレンオキシド）またはそれらの任意の組み合わせを含むポリエーテルに基づき、数平均ＭＷ２５０〜３５００の単官能性ポリエーテルアミンから成る群の少なくとも１つのメンバーとを、場合により、
（ｃ）置換されているＣ３〜２８ヒドロカルビルアミンの少なくとも１つのメンバー；またはアミノアルコールの少なくとも１つ；またはそれらの混合物の存在下で、
反応させることによる付加重合を含むプロセスによって得られる／得ることが可能である、前記項目１から４のいずれかに記載のポリマー。
（項目６）
ａ）存在する任意の末端アミノ基を、イソシアネート、ラクトン、ヒドロキシカルボン酸、無水物、環状カーボネート、または（メタ）アクリレートと反応させる工程；
ｂ）任意のアミノ基の塩化工程ならびに／または任意のアミノ基とモノカルボン酸もしくはポリカルボン酸、無機酸、リンおよびポリオキソメタレート含有酸または強酸との反応工程；
ｃ）存在する任意のアミノ基の窒素酸化物への酸化工程；
ｄ）存在する任意のアミノ基のアルキル化剤での四級化工程；
ｅ）存在する任意のヒドロキシル基をイソシアネート、リン酸、ポリリン酸、無水物またはカルボン酸と反応させる工程；
ｆ）存在する任意の末端エポキシド基を第二級アミンまたはカルボン酸と反応させる工程；
ｇ）存在する任意の残留第一級ヒドロキシルおよびアミノ基を、ラクトン、ヒドロキシカルボン酸、変性ポリエステルイソシアネートもしくはそれらの任意の組み合わせと反応させて、ペンダントポリエステル鎖を形成し、場合により、ラクトンおよび／もしくはヒドロキシカルボン酸から誘導されたポリエステル鎖のヒドロキシル末端基を、変性ポリエーテルイソシアネートとさらに反応させて、ブロックポリエーテル／ポリエステルペンダント鎖を形成する工程；または
存在する任意のヒドロキシルおよびアミノ基を、エチレンオキシド、プロピレンオキシド、ブチレンオキシド、スチレンオキシド、変性ポリエーテルイソシアネートもしくはそれらの任意の組み合わせと反応させて、ペンダントポリエーテル鎖を形成し、場合により、エチレンオキシド、プロピレンオキシド、ブチレンオキシド、スチレンオキシドもしくはそれらの混合物から誘導されたポリエーテル鎖のヒドロキシル末端基を、変性ポリエステルイソシアネートとさらに反応させて、ブロックポリエステル／ポリエーテルペンダント鎖を形成する工程；
ｈ）該付加ポリマーを、エチレンオキシド、プロピレンオキシド、ブチレンオキシド、スチレンオキシドまたはそれらの混合物から誘導されたまたは得ることが可能なＣ３〜２８ヒドロカルビルアルコキシレートと、ブレンドする工程；
ｉ）またはそれらのａ）〜ｈ）の任意の組み合わせ
を含む、任意の残留アミノ、ヒドロキシルまたはエポキシ基をさらに反応させるための１つまたはそれより多くの工程をさらに特定することによって調製される、項目５に記載のポリマー。
（項目７）
ａ）、ｃ）、ｄ）、ｅ）、ｆ）またはｇ）から選択される少なくとも１つの他の工程を含む、任意の残留アミノ、ヒドロキシルまたはエポキシ基をさらに反応させるための１つまたはそれより多くの工程をさらに特定することによって調製される、項目６に記載のポリマー。
（項目８）
（ａ）少なくとも１つの式（１ａ）の化合物（式中、ｂ＝１の場合、Ｗは、ペンダントイミド基をもたらす第一級アミン（−ＮＨ２）であり、および／もしくはＷは、末端イミド基をもたらす、ヒドロキシルもしくはカルボン酸であり；ならびに／またはｂ＝２の場合、Ｗは、ペンダントイミド基をもたらす、第二級アミノ基（−ＮＨ−）、ヒドロキシルもしくはカルボン酸もしくはそれらの混合物である）を、
（ｂ）１つまたはそれより多くのジエポキシドおよび／またはポリエポキシド、ならびに置換されているＣ３〜２８ヒドロカルビルアミンの少なくとも１つのメンバー；またはアミノアルコールの少なくとも１つ；またはそれらの混合物と
反応させる工程；および
次のいずれかまたは両方の工程：
（ｃ）工程（ｂ）からの存在する任意の残留第一級ヒドロキシルおよびアミノ基を、ラクトン、ヒドロキシカルボン酸、変性ポリエステルイソシアネートまたはそれらの任意の組み合わせと反応させて、ペンダントポリエステル鎖を形成し、場合により、ラクトンおよび／またはヒドロキシカルボン酸から誘導されたポリエステル鎖のヒドロキシル末端基を、変性ポリエーテルイソシアネートとさらに反応させて、ブロックポリエーテル／ポリエステルペンダント鎖を形成する工程；または
（ｄ）工程（ｂ）からの任意のヒドロキシルおよびアミノ基を、エチレンオキシド、プロピレンオキシド、ブチレンオキシド、スチレンオキシド、変性ポリエーテルイソシアネートまたはそれらの任意の組み合わせと反応させて、ペンダントポリエーテル鎖を形成し、場合により、エチレンオキシド、プロピレンオキシド、ブチレンオキシド、スチレンオキシドまたはそれらの混合物から誘導されたポリエーテル鎖のヒドロキシル末端基を、変性ポリエステルイソシアネートとさらに反応させて、ブロックポリエステル／ポリエーテルペンダント鎖を形成する工程
による付加重合を含むプロセスによって得られる／得ることが可能である、前記項目１から４のいずれかに記載のポリマー。
（項目９）
ａ）存在する任意の末端アミノ基を、イソシアネート、無水物、環状カーボネート、または（メタ）アクリレートと反応させる工程；
ｂ）任意のアミノ基の塩化工程および／または任意のアミノ基とモノカルボン酸もしくはポリカルボン酸、無機酸、リンおよびポリオキソメタレート含有酸または強酸との反応工程；
ｃ）存在する任意のアミノ基の窒素酸化物への酸化工程；
ｄ）存在する任意のアミノ基のアルキル化剤での四級化工程；
ｅ）存在する任意のヒドロキシル基をイソシアネート、リン酸、ポリリン酸、無水物またはカルボン酸と反応させる工程；
ｆ）存在する任意の末端エポキシド基を第二級アミンまたはカルボン酸と反応させる工程；
ｇ）該付加ポリマーを、エチレンオキシド、プロピレンオキシド、ブチレンオキシド、スチレンオキシドまたはそれらの混合物から誘導されたまたは得ることが可能なＣ３〜２８ヒドロカルビルアルコキシレートと、ブレンドする工程；
ｈ）またはそれらの任意の組み合わせ
を含む、任意の残留アミノ、ヒドロキシルまたはエポキシ基をさらに反応させるための１つまたはそれより多くの工程をさらに特定することによって調製される、項目８に記載のポリマー。
（項目１０）
粒子状固体と、非極性有機媒体と、少なくとも１つの芳香族イミド基を有するポリマー鎖とを含む組成物であって、該ポリマーが前記項目１から９のいずれかに記載のポリマーによって表される、組成物。
（項目１１）
粒子状固体と、極性有機媒体と、少なくとも１つの芳香族イミド基を有するポリマー鎖とを含む組成物であって、該ポリマーが前記項目１から９のいずれかに記載のポリマーによって表される、組成物。
（項目１２）
粒子状固体と、水性媒体と、少なくとも１つの芳香族イミド基を有するポリマー鎖とを含む組成物であって、該ポリマーが前記項目１から９のいずれかに記載のポリマーによって表される、組成物。
（項目１３）
前記組成物が、ミルベース、塗料またはインクである、前記項目１０から１２のいずれかに記載の組成物。
（項目１４）
前記粒子状固体が、顔料またはフィラーである、前記項目１０から１３のいずれかに記載の組成物。
（項目１５）
結合剤をさらに含む、前記項目１０から１４のいずれかに記載の組成物。
（項目１６）
前記ポリマーが、前記組成物の０．５重量％〜３０重量％、または１重量％〜２５重量％の範囲の量で存在する、前記項目１０から１５のいずれかに記載の組成物。
（項目１７）
前記項目１０から１６のいずれかに記載の組成物における分散剤としての、前記項目１から９のいずれかに記載のポリマーの使用。